【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
減圧創傷治療用創傷被覆材キットであって、
ポンプアセンブリと、
電力源と、
１つまたは２つ以上の吸収性層および流体不浸透性裏層を備え、第１被覆部分および第２被覆部分を規定する被覆部材と、
前記第１被覆部分と前記第２被覆部分との間で前記被覆部材の少なくとも一部に沿う切り目であって、前記第１被覆部分と前記第２被覆部分との間で前記被覆部材の引き裂き性を増加させるように構成された切り目と、
を備え、前記第１被覆部分は、前記１つまたは２つ以上の吸収性層を支持するように構成され、
前記第２被覆部分は、前記ポンプアセンブリと前記電力源とのうちの少なくとも１つを支持するように構成されており、かつ
前記電力源と前記ポンプアセンブリとの間にある前記第２被覆部分の切り目に沿って被覆材を引き裂くことにより、前記電力源が前記ポンプアセンブリから取り外し可能である、創傷被覆材キット。
【請求項２】
前記ポンプアセンブリが、ボイスコイル作動ポンプを備える請求項１に記載の創傷被覆材キット。
【請求項３】
前記切り目が、前記切り目に沿って被覆材の引き裂き性を増加させるように構成された複数の穿孔、通路、部分的な厚さ削減部、および刻み目を備える請求項１または２に記載の創傷被覆材キット。
【請求項４】
前記電力源が、１つまたは２つ以上の電池を含む請求項１から３のいずれか一項に記載の創傷被覆材キット。
【請求項５】
前記電力源が、１つまたは２つ以上の印刷電池を含む請求項１から４のいずれか一項に記載の創傷被覆材キット。
【請求項６】
前記電力源が、１つまたは２つ以上の可撓性電池を含む請求項１から５のいずれか一項に記載の創傷被覆材キット。
【請求項７】
ポンプが、１０以上の相互接続された電池により給電される請求項１から６のいずれか一項に記載の創傷被覆材キット。
【請求項８】
前記電力源が、１つまたは２つ以上の空気活性化電池を含む請求項１から７のいずれか一項に記載の創傷被覆材キット。
【請求項９】
前記被覆部材が、
創傷接触層と、
前記創傷接触層と前記流体不浸透性裏層との間に配置された透過層と、
を備える請求項１から８のいずれか一項に記載の創傷被覆材キット。
【請求項１０】
ポンプが、１つまたは２つ以上の光電池により少なくとも部分的に給電される請求項１から９のいずれか一項に記載の創傷被覆材キット。
【請求項１１】
ポンプが、被覆材の裏層、前記ポンプアセンブリのための筺体、および前記ポンプアセンブリにより提供される負圧を前記１つまたは２つ以上の吸収性層へと伝えるように構成された導管のうちの少なくとも１つの周りに配置された１つまたは２つ以上の光電池により少なくとも部分的に給電される請求項１から１０のいずれか一項に記載の創傷被覆材キット。
【請求項１２】
ポンプが、スナップコネクタ、接着剤、ベルクロ、閉じることのできる開口のある筺体、または前記被覆部材により支持されたポーチを用いて、前記被覆部材に取り付け可能な１つまたは２つ以上の電池により、少なくとも部分的に給電される請求項１から１１のいずれか一項に記載の創傷被覆材キット。
【請求項１３】
ポンプおよび前記電力源を支持する創傷被覆材キット部分の可撓性および共形性を向上するために、前記電力源と前記ポンプアセンブリとの間に配置された可撓性ヒンジをさらに備える請求項１から１２のいずれか一項に記載の創傷被覆材キット。
【請求項１４】
前記電力源を作動させるように構成されたプルタブ、ボタン、導電ラベル、またはスイッチを備える請求項１から１３のいずれか一項に記載の創傷被覆材キット。
【請求項１５】
前記電力源が第１包装部材により支持されている間は、前記電力源と前記ポンプアセンブリとの間の電気接続を妨げるように構成された第１包装部材を備える請求項１から１４のいずれか一項に記載の創傷被覆材キット。
【手続補正２】
【補正対象書類名】明細書
【補正対象項目名】０２３３
【補正方法】変更
【補正の内容】
【０２３３】
特定の実施形態が開示されたが、これらの実施形態は、例として提示されただけであり、保護の範囲を限定することは意図されていない。実際、本明細書で説明した新規の方法およびシステムは、様々な他の形態で具現化され得る。さらに、本明細書で説明した方法およびシステムの形態における様々な省略、代用、および変更が行われ得る。当業者は、ある実施形態では、図示および／または開示した工程で取られる実際のステップが、図に示されたものと異なり得ることを理解することになる。実施形態に応じて、前述したステップの一部が取り除かれ得るし、他のものが加えられ得る。したがって、本開示の範囲は、添付した特許請求の範囲の参照によりのみ定義されるように意図されている。添付の特許請求の範囲とその均等物は、保護の範囲および精神内にある形態または変更を包含するように意図されている。さらに、先に開示した具体的な実施形態の特徴および特性は、すべてが本開示の範囲内にある追加実施形態を形成するために、異なる方法で組み合わされてもよい。本開示は、特定の好ましい実施形態および用途を提供しているが、本明細書で先に説明した特徴および利点のすべてを提供しない実施形態を含め、通常の当業者には明らかである他の実施形態も、本開示の範囲内にある。したがって、本開示の範囲は、添付した特許請求の範囲の参照によりのみ定義されるように意図されている。
さらに以下の実施例を含む。
〔実施例１〕
減圧創傷治療用創傷被覆材キットであって、
ポンプアセンブリと、
電力源と、
１つまたは２つ以上の吸収性層および流体不浸透性裏層を備え、第１被覆部分および第２被覆部分を規定する被覆部材と、
前記第１被覆部分と前記第２被覆部分との間で前記被覆部材の少なくとも一部に沿う切り目であって、前記第１被覆部分と前記第２被覆部分との間で前記被覆部材の引き裂き性を増加させるように構成された切り目と、
を備え、前記第１被覆部分は、前記１つまたは２つ以上の吸収性層を支持するように構成され、
前記第２被覆部分は、前記ポンプアセンブリと前記電力源とのうちの少なくとも１つを支持するように構成された創傷被覆材キット。
〔実施例２〕
前記ポンプアセンブリおよび前記被覆部材と流体連通する導管を備える実施例１に記載の創傷被覆材キット。
〔実施例３〕
前記ポンプアセンブリおよび前記被覆部材と流体連通する導管を備え、前記導管が、前記被覆部材から選択的に取り外し可能である実施例１または２に記載の創傷被覆材キット。
〔実施例４〕
前記被覆部材の第３被覆部分に配置された導管を備え、前記被覆部材は、前記第１被覆部分と前記第３被覆部分との間、および／または、前記第２被覆部分と前記第３被覆部分との間で、前記被覆部材の少なくとも一部に沿って切り目を有し、前記切り目が、前記第１被覆部分と前記第３被覆部分との間、および／または、前記第２被覆部分と前記第３被覆部分との間で、前記被覆部材の引き裂き性を増加させるように構成された実施例１から３のいずれかに記載の創傷被覆材キット。
〔実施例５〕
穿孔された縁が沿うと共に前記被覆部材の第１部分の周囲の周りに延在するように構成された導管を備え、前記導管が、前記導管の穿孔された少なくとも１つの縁に沿って前記導管を引き裂くことにより、前記被覆部材の第１部分から選択的に切り取り可能である実施例１から４のいずれかに記載の創傷被覆材キット。
〔実施例６〕
前記ポンプアセンブリおよび前記被覆部材と流体連通する導管を備え、前記導管が、螺旋状の配置で前記ポンプアセンブリの周りに巻かれた実施例１から５のいずれかに記載の創傷被覆材キット。
〔実施例７〕
前記ポンプアセンブリ、および端部にコネクタを備える前記被覆部材と流体連通する導管を備え、前記コネクタが、前記第１被覆部分により支持された第２コネクタと係合されるとき、前記ポンプアセンブリを作動させるように構成された実施例１から６のいずれかに記載の創傷被覆材キット。
〔実施例８〕
前記ポンプアセンブリは、ボイスコイル作動ポンプを備える実施例１から７のいずれかに記載の創傷被覆材キット。
〔実施例９〕
前記切り目は、前記切り目に沿って被覆材の引き裂き性を増加させるように構成された複数の穿孔、通路、部分的な厚さ削減部、および刻み目を備える実施例１から８のいずれかに記載の創傷被覆材キット。
〔実施例１０〕
前記電力源は、被覆材を前記電力源と前記ポンプアセンブリとの間で前記第２被覆部分の切り目に沿って引き裂くことにより、前記ポンプアセンブリから取り外し可能である実施例１から９のいずれかに記載の創傷被覆材キット。
〔実施例１１〕
ポンプは、単一の１２００ｍＡｈリチウム電池により給電される実施例１から１０のいずれかに記載の創傷被覆材キット。
〔実施例１２〕
ポンプは、１つまたは２つ以上の印刷電池により給電される実施例１から１１のいずれかに記載の創傷被覆材キット。
〔実施例１３〕
ポンプは、およそ４５０ミクロンからおよそ７７０ミクロンまでの厚さを有する１つまたは２つ以上の可撓性電池により給電される実施例１から１２のいずれかに記載の創傷被覆材キット。
〔実施例１４〕
ポンプは、およそ４５０ミクロンからおよそ５００ミクロンまでの厚さを有する１つまたは２つ以上の可撓性電池により給電される実施例１から１３のいずれかに記載の創傷被覆材キット。
〔実施例１５〕
ポンプは、１０以上の相互接続された電池により給電される実施例１から１４のいずれかに記載の創傷被覆材キット。
〔実施例１６〕
ポンプは、およそ５００ミクロン未満の厚さを有する１つまたは２つ以上の可撓性電池により給電される実施例１から１５のいずれかに記載の創傷被覆材キット。
〔実施例１７〕
前記ポンプアセンブリは、前記第１被覆部分、および負圧源を前記ポンプアセンブリから前記１つまたは２つ以上の吸収性層へと繋げるように構成された導管のうちの少なくとも１つの周りに配置された１つまたは２つ以上の可撓性電池により給電される実施例１から１６のいずれかに記載の創傷被覆材キット。
〔実施例１８〕
前記ポンプアセンブリは、前記流体不浸透性裏層の下で前記第１被覆部分により支持された１つまたは２つ以上の可撓性電池により給電される実施例１から１７のいずれかに記載の創傷被覆材キット。
〔実施例１９〕
前記ポンプアセンブリは、前記第１被覆部分により支持された１つまたは２つ以上の可撓性電池により給電され、前記１つまたは２つ以上の可撓性電池が、前記１つまたは２つ以上の吸収性層内に埋め込まれた実施例１から１８のいずれかに記載の創傷被覆材キット。
〔実施例２０〕
前記ポンプアセンブリは、前記流体不浸透性裏層の外側で前記第１被覆部分により支持された１つまたは２つ以上の可撓性電池により給電される実施例１から１９のいずれかに記載の創傷被覆材キット。
〔実施例２１〕
前記ポンプアセンブリは１つまたは２つ以上の空気活性化電池により給電される実施例１から２０のいずれかに記載の創傷被覆材キット。
〔実施例２２〕
前記被覆部材は、創傷接触層と、前記創傷接触層と前記流体不浸透性裏層との間に配置された透過層と、を備える実施例１から２１のいずれかに記載の創傷被覆材キット。
〔実施例２３〕
ポンプは、１つまたは２つ以上の光電池により少なくとも部分的に給電される実施例１から２２のいずれかに記載の創傷被覆材キット。
〔実施例２４〕
ポンプは、被覆材の裏層、前記ポンプアセンブリのための筺体、および前記ポンプアセンブリにより提供される負圧を前記１つまたは２つ以上の吸収性層へと伝えるように構成された導管のうちの少なくとも１つの周りに配置された１つまたは２つ以上の光電池により少なくとも部分的に給電される実施例１から２３のいずれかに記載の創傷被覆材キット。
〔実施例２５〕
ポンプは、スナップコネクタ、接着剤、ベルクロ、閉じることのできる開口のある筺体、または前記被覆部材により支持されたポーチを用いて、前記被覆部材に取り付け可能な１つまたは２つ以上の電池により、少なくとも部分的に給電される実施例１から２４のいずれかに記載の創傷被覆材キット。
〔実施例２６〕
ポンプおよび前記電力源を支持する創傷被覆材キット部分の可撓性および共形性を向上するために、前記電力源と前記ポンプアセンブリとの間に配置された可撓性ヒンジをさらに備える実施例１から２５のいずれかに記載の創傷被覆材キット。
〔実施例２７〕
ポンプアセンブリと前記電力源との間で、創傷被覆材の層にＶ字形の切欠きを備える実施例１から２６のいずれかに記載の創傷被覆材キット。
〔実施例２８〕
ＯＬＥＤ表示装置を備える実施例１から２７のいずれかに記載の創傷被覆材キット。
〔実施例２９〕
前記創傷被覆材キットのコンディションを指示するように構成された１つまたは２つ以上の指示灯を備える実施例１から２８のいずれかに記載の創傷被覆材キット。
〔実施例３０〕
前記電力源を作動させるように構成されたプルタブ、ボタン、導電ラベル、またはスイッチを備える実施例１から２９のいずれかに記載の創傷被覆材キット。
〔実施例３１〕
前記電力源が第１包装部材により支持されている間は、前記電力源と前記ポンプアセンブリとの間の電気接続を妨げるように構成された第１包装部材を備える実施例１から３０のいずれかに記載の創傷被覆材キット。
〔実施例３２〕
前記流体不浸透性裏層の下の圧力レベルの視覚的指示を行うように構成された前記第１被覆部分により支持された圧力指示器を備える実施例１から３１のいずれかに記載の創傷被覆材キット。
〔実施例３３〕
前記流体不浸透性裏層の下の液体飽和レベルの視覚的指示を行うように構成された前記第１被覆部分により支持された飽和指示器を備える実施例１から３２のいずれかに記載の創傷被覆材キット。
〔実施例３４〕
前記被覆部材の第１部分は１つまたは２つ以上の特徴部または着色領域を備え、前記１つまたは２つ以上の特徴部または着色領域は、前記流体不浸透性裏層が前記１つまたは２つ以上の特徴部または着色領域に対して引き寄せられるときのみ検出可能であり、前記創傷被覆材キットは、負圧の閾値が前記流体不浸透性裏層の下で達成されたときに前記流体不浸透性裏層が前記１つまたは２つ以上の特徴部または着色領域に対して引き寄せられるように構成された実施例１から３３のいずれかに記載の創傷被覆材キット。
〔実施例３５〕
第１オン位置と第２オフ位置との間で移動するように構成された作動スイッチまたはボタンを備え、前記作動スイッチまたはボタンは、負圧の閾値が前記流体不浸透性裏層の下で維持されるときに第１位置に留まるように構成された実施例１から３４のいずれかに記載の創傷被覆材キット。
〔実施例３６〕
前記作動スイッチまたはボタンは、前記流体不浸透性裏層の下の負圧の値が負圧の閾値未満であり、かつ、前記ポンプアセンブリが閾流量を超えるか、または、閾期間を連続して運転していたとき、第２位置に移動するように構成された実施例３５に記載の創傷被覆材キット。
〔実施例３７〕
前記作動スイッチまたはボタンは、前記流体不浸透性裏層の下の負圧の値が６０ｍｍＨｇ未満であり、かつ前記ポンプアセンブリが４分間連続して運転されていたとき、第２位置に移動するように構成された実施例３５に記載の創傷被覆材キット。
〔実施例３８〕
前記作動スイッチまたはボタンが、押し下げ可能なドームスイッチおよびタクトスイッチを備える実施例３５に記載の創傷被覆材キット。
〔実施例３９〕
減圧創傷治療用創傷被覆材キットであって、
ポンプアセンブリと、
被覆部材と、
電力源と、
を備え、前記ポンプアセンブリおよび前記電力源が、前記被覆部材により支持された創傷被覆材キット。
〔実施例４０〕
前記電力源は、前記被覆部材の周りに配置された複数の電池を備え、
前記複数の電池は、少なくとも前記ポンプアセンブリに電力の供給源を提供するように構成され、
前記複数の電池の各々は、およそ４５０ミクロンからおよそ７００ミクロンまでの厚さを有する実施例３９に記載の創傷被覆材キット。
〔実施例４１〕
前記複数の電池は、各々、およそ４５０ミクロンからおよそ５００ミクロンまでの厚さを有する実施例４０に記載の創傷被覆材キット。
〔実施例４２〕
前記被覆部材は、１つまたは２つ以上の吸収性層および流体不浸透性裏層を備え、第１被覆部分および第２被覆部分を画定し、
前記被覆部材は、前記第１被覆部分と前記第２被覆部分との間で前記被覆部材の少なくとも一部に沿う切り目であって、前記第１被覆部分と前記第２被覆部分との間で前記被覆部材の引き裂き性を増加させるように構成された切り目を備え、
前記第１被覆部分は前記１つまたは２つ以上の吸収性層を支持するように構成され、
前記第２被覆部分は前記ポンプアセンブリを支持するように構成された実施例３９から４１のいずれかに記載の創傷被覆材キット。
〔実施例４３〕
穿孔された縁が沿うと共に前記被覆部材の第１部分の周囲の周りに延在するように構成された導管を備え、前記導管は、前記導管の穿孔された少なくとも１つの縁に沿って前記導管を引き裂くことにより、前記被覆部材の第１部分から選択的に切り取り可能である実施例３９から４２のいずれかに記載の創傷被覆材キット。
〔実施例４４〕
前記ポンプアセンブリおよび前記被覆部材と流体連通する導管を備え、前記導管は螺旋状の配置で前記ポンプアセンブリの周りに巻かれた実施例３９から４２のいずれかに記載の創傷被覆材キット。
〔実施例４５〕
前記ポンプアセンブリが、ボイスコイル作動ポンプを備える実施例３９から４４のいずれかに記載の創傷被覆材キット。
〔実施例４６〕
前記電力源を作動させるように構成されたプルタブ、ボタン、導電ラベル、またはスイッチを備える実施例３９から４５のいずれかに記載の創傷被覆材キット。
〔実施例４７〕
流体不浸透性裏層の下の圧力レベルの視覚的指示を行うように構成された前記被覆部材により支持された圧力指示器を備える実施例３９から４６のいずれかに記載の創傷被覆材キット。
〔実施例４８〕
流体不浸透性裏層の下の液体飽和レベルの視覚的指示を行うように構成された前記被覆部材により支持された飽和指示器を備える実施例３９から４６のいずれかに記載の創傷被覆材キット。
〔実施例４９〕
減圧創傷治療用創傷被覆材キットであって、
ポンプアセンブリと、
少なくとも前記ポンプアセンブリに電力の供給源を提供するように構成された電力源と、
流体不浸透性裏層を備える被覆部材と、
を備え、前記ポンプアセンブリが、前記被覆部材により支持され、
前記電力源が、別の支持部材により支持され、前記被覆部材から離間された遠隔位置に配置できる創傷被覆材キット。
〔実施例５０〕
前記被覆部材が、１つまたは２つ以上の吸収性層を備え、前記流体不浸透性裏層が、前記１つまたは２つ以上の吸収性層を覆い、前記ポンプアセンブリが、前記吸収性層のうちの１つまたは２つ以上に隣接して支持された実施例４９に記載の創傷被覆材キット。
〔実施例５１〕
前記ポンプアセンブリが、ボイスコイル作動ポンプを備える実施例４９または５０に記載の創傷被覆材キット。
〔実施例５２〕
前記電力源を作動させるように構成されたプルタブ、ボタン、導電ラベル、またはスイッチを備える実施例４９から５１のいずれかに記載の創傷被覆材キット。
〔実施例５３〕
前記流体不浸透性裏層の下の圧力レベルの視覚的指示を行うように構成された前記被覆部材により支持された圧力指示器を備える実施例４９から５２のいずれかに記載の創傷被覆材キット。
〔実施例５４〕
前記流体不浸透性裏層の下の液体飽和レベルの視覚的指示を行うように構成された前記被覆部材により支持された飽和指示器を備える実施例４９から５３のいずれかに記載の創傷被覆材キット。
〔実施例５５〕
不透明の裏層に観察窓を備え、前記観察窓が、使用者が前記被覆部材内の飽和レベルを判断できるように構成された実施例４９から５４のいずれかに記載の創傷被覆材キット。
〔実施例５６〕
減圧創傷治療用創傷被覆材キットであって、
流体不浸透性裏層、透過層、および前記透過層と前記流体不浸透性裏層との間の吸収層を備える被覆部材と、
前記吸収層に形成される開口内に配置されるポンプアセンブリであって、前記吸収層は、前記ポンプアセンブリが前記透過層と直に接触して配置されるように大きさが決定されると共に構成されたポンプアセンブリと、
を備える創傷被覆材キット。
〔実施例５７〕
ポンプは、負圧が前記ポンプアセンブリにより前記透過層に直に加えられるように、前記透過層と直に流体連通しているポートを備える実施例５６に記載の創傷被覆材キット。
〔実施例５８〕
前記ポンプアセンブリと連通しており、液体のポンプへの通過を防止するように構成された液体バリアまたは液体フィルタをさらに備える実施例５６または５７に記載の創傷被覆材キット。
〔実施例５９〕
前記開口が、前記透過層内へと延在しない実施例５６から５８のいずれかに記載の創傷被覆材キット。
〔実施例６０〕
前記開口が、前記透過層を貫いて延在する実施例５６から５９のいずれかに記載の創傷被覆材キット。
〔実施例６１〕
前記吸収層と前記透過層との間に不浸透性膜をさらに備え、前記不浸透性膜が、前記ポンプアセンブリから前記透過層への負圧の通過を許容するように構成された前記ポンプアセンブリのポートと連通している開口を備える実施例５６から６０のいずれかに記載の創傷被覆材キット。
〔実施例６２〕
前記ポンプアセンブリが、液体を前記透過層からポンプを通して前記吸収層へと送るように構成された実施例５６から６１のいずれかに記載の創傷被覆材キット。
〔実施例６３〕
前記ポンプアセンブリが、前記流体不浸透性裏層により被覆された実施例５６から６２のいずれかに記載の創傷被覆材キット。
〔実施例６４〕
前記ポンプアセンブリからの排気を、前記流体不浸透性裏層を通して通過させることができるように構成された通気口を、前記流体不浸透性裏層にさらに備える実施例６３に記載の創傷被覆材キット。
〔実施例６５〕
前記ポンプアセンブリが、ボイスコイル作動ポンプを備える実施例５６から６４のいずれかに記載の創傷被覆材キット。
〔実施例６６〕
電力源を作動させるように構成されたプルタブ、ボタン、導電ラベル、またはスイッチを備える実施例５６から６４のいずれかに記載の創傷被覆材キット。
〔実施例６７〕
前記流体不浸透性裏層の下の圧力レベルの視覚的指示を行うように構成された前記被覆部材により支持された圧力指示器を備える実施例５６から６６のいずれかに記載の創傷被覆材キット。
〔実施例６８〕
前記流体不浸透性裏層の下の液体飽和レベルの視覚的指示を行うように構成された前記被覆部材により支持された飽和指示器またはセンサを備える実施例５６から６７のいずれかに記載の創傷被覆材キット。
〔実施例６９〕
前記飽和指示器または前記センサが、前記ポンプアセンブリに隣接して配置された実施例６８に記載の創傷被覆材キット。
〔実施例７０〕
電力の供給源を少なくとも前記ポンプアセンブリに提供するように構成された電力源をさらに備える実施例５６から６９のいずれかに記載の創傷被覆材キット。
〔実施例７１〕
前記流体不浸透性裏層が、不透明であり、使用者が前記被覆部材内の飽和レベルを判断できるように構成された１つまたは２つ以上の観察窓を前記流体不浸透性裏層に備える実施例５６から７０のいずれかに記載の創傷被覆材キット。
〔実施例７２〕
創傷治療方法であって、
実施例１から７１のいずれかに記載の創傷被覆材キットを、創傷を覆って配置するステップと、
前記ポンプアセンブリから前記創傷へと負圧を加えるステップと、
を備える創傷治療方法。